(57)【要約】【課題】  植物が播種及び／又は播苗される植生層と、家屋等の建築構造物との間に介装され、排水性と保水性のバランスがとれていて、植生層に播種及び／又は播苗された植物の育成にとって好適な植生用基層マットを提案する。【解決手段】  植物が播種及び／又は播苗される植生層と、家屋等の建築構造物との間に介装される植生用基層マットであって、通気性、透水性を有する不織布製で、複数の筒状中空孔が並列し、積層されているハニカム構造体からなり、当該複数の筒状中空孔が前記植生層に沿って延びるように配置されている植生用基層マット。【選択図】  図１
2006204112.tif 000002
【特許請求の範囲】
【請求項１】
植物が播種及び／又は播苗される植生層と、家屋等の建築構造物との間に介装される植生用基層マットであって、通気性、透水性を有する不織布製で、複数の筒状中空孔が並列し、積層されているハニカム構造体からなり、当該複数の筒状中空孔が前記植生層に沿って延びるように配置されていることを特徴とする植生用基層マット。
【請求項２】
複数の筒状中空孔が並列し、積層されているハニカム構造体は、断面Ｓ字状のループを有する一枚の不織布が上下及び／又は左右方向から押されて、前記断面Ｓ字状のループを有する一枚の不織布が前記筒状中空孔の連続している隔壁を形成し、当該連続している隔壁によって区画された断面液滴形状の筒状中空孔と、断面が逆液滴形状の筒状中空孔とが隣接して並列し、かつ互い違いに積層して形成されているものであることを特徴とする請求項１記載の植生用基層マット。
【発明の詳細な説明】
【技術分野】
【０００１】
この発明は、ビルの屋上などの緑化などに使用される植生用マットに関し、特に、植物が播種及び／又は播苗される植生層と、家屋等の建築構造物との間に介装されて、排水、保水などの役割を担う植生用基層マットに関する。
【背景技術】
【０００２】
近年、地球温暖化の傾向や、都市部におけるヒートアイランド現象の進行などから、建築構造物の屋上を緑化する屋上緑化が推奨されるようになっている。特に、緑地面積が少ない大都市部におけるコンクリート構造物の屋上緑化は、断熱効果によるヒートアイランド現象の緩和や、冷暖房に要するエネルギー資源の節約、大気汚染の浄化、水質浄化などが期待できるので、積極的に推奨されるまでに至っている。
【０００３】
家屋等の建築構造物の上に屋上緑化を行う場合、家屋等の建築構造物の上に植生用基層マットを敷設し、その上に、植物が播種及び／又は播苗される植生層（一般に、この植生層には、植物栽培用の土壌が混入されている）を敷設し、ここに、植物を播種及び／又は播苗して植生している。
【０００４】
前記の植生用基層マットは、排水、保水などの役割を担うものであり、従来は、繊維結合型のポーラス構造のものが採用されるのが一般的であった。
【特許文献１】特開２００２−３１５４３１号公報
【特許文献２】特開２００２−３１７５３３号公報
【発明の開示】
【発明が解決しようとする課題】
【０００５】
前述したように、植生用基層マットは、排水、保水などの役割を担うものであるが、排水性と保水性とは相反するものであって、この両者を兼ね備えることは簡単なものではない。例えば、排水性のみが優れていれば、保水性に劣り、このため、植生層に播種及び／又は播苗された植物の根への水分補給が少なくなり、一方、保水性のみが優れている、あるいは目詰まりしやすいというような問題があると、水分が多くなりすぎるので、植生層に播種及び／又は播苗された植物の根が過剰な水分によって悪影響を受けることがないよう、特別の配慮を払う必要が生じる。
【０００６】
本発明は、ビルの屋上などの緑化等に使用される植生用マット、特に、植物が播種及び／又は播苗される植生層と、家屋等の建築構造物との間に介装される植生用基層マットであって、排水性と保水性のバランスがとれていて、植生層に播種及び／又は播苗された植物の育成にとって好適な植生用基層マットを提案することを目的としている。
【課題を解決するための手段】
【０００７】
前記課題を解決するため、この発明が提案する植生用基層マットは、植物が播種及び／又は播苗される植生層と、家屋等の建築構造物との間に介装される植生用基層マットであって、通気性、透水性を有する不織布製で、複数の筒状中空孔が並列し、積層されているハニカム構造体からなり、当該複数の筒状中空孔が前記植生層に沿って延びるように配置されていることを特徴とするものである。
【０００８】
本発明の植生用基層マットによれば、前記のように、複数の筒状中空孔が植生層に沿って延びるように配置されていることにより、植生層から家屋等の建築構造物の方向に向けて移動していく水分は、ハニカム構造体を形成している複数の筒状中空孔（これは、並列し、積層されている）を形成している隔壁を介して移動していく。この際、ハニカム構造体が通気性、透水性を有する不織布製であって、前記のように植生層に沿って延びるように配置されていて、並列し、積層されている複数の筒状中空孔を形成する隔壁を介して水分が移動するので、排水性と保水性との良好なバランスが保たれ、その上で、通気性、保温性も発揮できる。
【０００９】
そこで、植生層に播種及び／又は播苗された植物の育成にとって好適な植生用基層マットを提供することができる。
【００１０】
前記の本発明の植生用基層マットにおいて、複数の筒状中空孔が並列し、積層されているハニカム構造体は、断面Ｓ字状のループを有する一枚の不織布が上下及び／又は左右方向から押されて、前記断面Ｓ字状のループを有する一枚の不織布が前記筒状中空孔の連続している隔壁を形成し、当該連続している隔壁によって区画された断面液滴形状の筒状中空孔と、断面が逆液滴形状の筒状中空孔とが隣接して並列し、かつ互い違いに積層して形成されているものにすることができる。
【００１１】
このような形態にすると、前述した排水性と保水性との良好なバランス、通気性、保温性を発揮する上で、有効であり、これに加えて、耐圧強度を高めることができる。
【発明を実施するための最良の形態】
【００１２】
以下、添付図面を参照して本発明の好ましい実施形態を説明する。
【００１３】
図１は本発明の植生用基層マットが使用されている状態を説明する一部を省略した正面図である。
【００１４】
本発明の植生用基層マットは、植物３が播種及び／又は播苗される植生層２と、家屋等の建築構造物との間に介装されるものである。図１は、本発明の植生用基層マットが上下に二層積層されている実施形態を説明するものである。図１では図示していないが、二層に積層されている本発明の植生用基層マットにおける下側の植生用基層マットの下側に、家屋等の建築構造物の表面（例えば、上側面）が位置している。
【００１５】
本発明の植生用基層マットは、通気性、透水性を有する不織布製で、複数の筒状中空孔４ａ、４ｂが並列し、積層されているハニカム構造体１からなる。すなわち、本発明の植生用基層マットは、複数の筒状中空孔４ａ、４ａ、４ａ、・・・・が並列し、同じく、複数の筒状中空孔４ｂ、４ｂ、４ｂ、・・・・が並列し、これら複数の筒状中空孔４ａ、４ａ、４ａ、・・・・と、複数の筒状中空孔４ｂ、４ｂ、４ｂ、・・・・とが上下に積層されているハニカム構造体１からなる。そして、このような複数の筒状中空孔４ａ、４ｂが植生層２に沿って延びるように（すなわち、図１図示の例では、図面に垂直に手前に向かって延びる方向に）配置されているものである。
【００１６】
図３（ｂ）に例示されているような、複数の筒状中空孔４ａ、４ｂが並列し、積層されている本発明の植生用基層マットを構成するハニカム構造体１は、不織布から形成されている。例えば、厚み：０．２ｍｍ、重量：２００ｇ／ｍ２のポリエステル製の不織布によって形成されている。これによって、複数の筒状中空孔４ａ、４ｂが並列し、積層されているハニカム構造体１からなる本発明の植生用基層マットは、通気性と、透水性を有するものになっている。
【００１７】
前記に例示した不織布を、図３（ａ）図示のように、断面Ｓ字状のループを有する不織布８とした後、この断面Ｓ字状のループを有する一枚の不織布８を、図３（ａ）図示のように、上下方向（矢印９方向）及び／又は左右方向（矢印１０方向）から押し、図３（ｂ）図示のように、断面Ｓ字状のループを有する一枚の不織布８によって筒状中空孔の連続している隔壁７を形成し、この連続している隔壁７によって区画された断面液滴形状の筒状中空孔４ａと、断面が逆液滴形状の筒状中空孔４ｂとが隣接して並列し、かつ互い違いに積層するようにして、すなわち、複数の筒状中空孔４ａ、４ａ、４ａ、・・・・が並列し、同じく、複数の筒状中空孔４ｂ、４ｂ、４ｂ、・・・・が並列し、これら複数の筒状中空孔４ａ、４ａ、４ａ、・・・・と、複数の筒状中空孔４ｂ、４ｂ、４ｂ、・・・・とが積層されている本発明の植生用基層マットを構成するハニカム構造体１（複数の筒状中空孔４ａ、４ｂが並列し、積層されているハニカム構造体１）とする。
【００１８】
すなわち、図３（ａ）図示のように断面Ｓ字状のループを有する一枚の不織布８を、上下方向（矢印９方向）及び／又は左右方向（矢印１０方向）から押して（図３（ａ））、断面Ｓ字状のループを有する一枚の不織布８によって筒状中空孔の連続している隔壁７（図２、図３（ｂ）、図３（ｃ）、図４）を形成し、図２中、一番上の層の左側から、断面が逆液滴形状の筒状中空孔４ｂ−１、断面液滴形状の筒状中空孔４ａ−１、断面が逆液滴形状の筒状中空孔４ｂ−２、断面液滴形状の筒状中空孔４ａ−２となっているように、前記の連続している隔壁７によって区画された断面液滴形状の筒状中空孔４ａと、断面が逆液滴形状の筒状中空孔４ｂとが隣接して並列し、かつ互い違いに積層して、本発明の植生用基層マット１を構成するハニカム構造体１（複数の筒状中空孔４ａ、４ｂが並列し、積層されているハニカム構造体）とする。
【００１９】
なお、図３（ｂ）図示のように、複数の筒状中空孔４ａ、４ｂが並列し、積層されているハニカム構造体を形成した後、複数の筒状中空孔４ａ、４ａ、４ａ、・・・・が横に広がることを防止するため、図３（ｃ）図示のように、複数の筒状中空孔４ａ、４ａ、４ａ、・・・・が延びる方向（植生層に沿う方向）に直交する方向に、接着用部材４ｃで隣接する筒状中空孔４ａ、４ａ、４ａ、・・・・を接着固定することができる。図示していないが、底面側においても、複数の筒状中空孔４ｂ、４ｂ、４ｂ、・・・・が横に広がることを防止するため、複数の筒状中空孔４ｂ、４ｂ、４ｂ、・・・・が延びる方向（植生層に沿う方向）に直交する方向に、接着用部材で隣接する筒状中空孔４ｂ、４ｂ、４ｂ、・・・・を接着固定することができる。
【００２０】
このようにして、複数の筒状中空孔４ａ、４ｂが並列し、積層されているハニカム構造体１が形成されているので、並列し、積層されている断面が逆液滴形状の筒状中空孔４ｂ−１、断面液滴形状の筒状中空孔４ａ−１、断面が逆液滴形状の筒状中空孔４ｂ−２、断面液滴形状の筒状中空孔４ａ−２の間では、互いのズレが矯正された、図２図示のような、連続Ｓ字ループ構造からなる耐圧強度の高められた構造に形成される。
【００２１】
筒状中空孔４ａ、４ｂの大きさは、例えば、直径１０ｍｍ程度にすることができる。
【００２２】
図２は、図３（ｂ）あるいは図３（ｃ）図示の複数の筒状中空孔４ａ、４ｂが並列し、積層されているハニカム構造体１からなる本発明の植生用基層マットを三層に積層した三層構造とした本発明の植生用基層マットを表すものである。植生層２側にあたる最上層のハニカム構造体１の上側に、植生層２との間に介装される不織布５を接着し、建築構造物側にあたる最下層のハニカム構造体１の下側に、建築構造物との間に介装される不織布５ｃを接着し、最上層のハニカム構造体１と中間層にあたるハニカム構造体１、中間層にあたるハニカム構造体１と最下層のハニカム構造体１との間に、それぞれ、不織布５ｂ、５ｃを接着して介装したものである。
【００２３】
不織布５、５ａ、５ｂ、５ｃとしては、例えば、厚み：０．２ｍｍ、重量：６０ｇ／ｍ２のポリエステル製の不織布を採用することができる。
【００２４】
なお、図２図示の形態では、不織布５、５ａ、５ｂ、５ｃが上下の構造物の間に介装されているが、これらが採用されていない形態にすることもできる。
【００２５】
図３（ｂ）、（ｃ）図示のようなハニカム構造体１や、図１図示のようにハニカム構造体１を、例えば、二層に積層してなる本発明の植生用基層マット、図２図示のようにハニカム構造体１を、例えば、三層に積層してなる本発明の植生用基層マットは、図２、図３（ｂ）、（ｃ）中、左右両側にあたる筒状中空孔４ａ、４ｂの横方向（長手方向）の切断面に接着剤（例えば、エポキシ樹脂系の接着剤）を塗布し、図２、図３（ｂ）、（ｃ）図示のような状体（すなわち、連続している隔壁７によって区画された複数の断面液滴形状の筒状中空孔４ａと、断面が逆液滴形状の筒状中空孔４ｂとが隣接して並列し、かつ互い違いに積層している状態）で補強部材（不図示）に固定して、図２、図３（ｂ）、（ｃ）図示のような形状を保持させることができる。あるいは、筒状中空孔４ａ、４ｂの開口部の端面（縦方向の切断面）に接着剤（例えば、エポキシ樹脂系の接着剤）を塗布し、図２、図３（ｂ）、（ｃ）図示のような状体（すなわち、連続している隔壁７によって区画された複数の断面液滴形状の筒状中空孔４ａと、断面が逆液滴形状の筒状中空孔４ｂとが隣接して並列し、かつ互い違いに積層している状態）で補強部材（不図示）に固定して、図２、図３（ｂ）、（ｃ）図示のような形状を保持させることができる。
【００２６】
図１は、ハニカム構造体１、１を二層積層した構造が採用されている本発明の植生用基層マットが、家屋等の建築構造物（不図示）の上側に敷設され、この上に、植物３が播種及び／又は播苗される植生層２が敷設されている状態を説明するものである。
【００２７】
図示していないが、ハニカム構造体１の一層のみで複数の筒状中空孔４ａ、４ｂが並列し、積層されているハニカム構造体からなる本発明の植生用基層マットとすることもできるし、図１図示のように、ハニカム構造体１、１の二層、図２、図４図示のように、ハニカム構造体１、１、１の三層、あるいは四層（不図示）、五層（不図示）で本発明の植生用基層マットとすることもできる。
【００２８】
植生層２（図１）は、この技術分野で公知の栽培用土壌などが混入されて構成されているものであり、植物３としては、例えば、耐候性に優れ、寒暖の温度差に強い多年草であるアルバム、アクレ、スプリューム、サカサマンネン、等の多肉植物セダムなどを播種及び／又は播苗することができる。
【００２９】
本発明の植生用基層マットによれば、植生層２に散布されて、あるいは雨が降るなどして、植生層２から図１中下側に浸透してきた水は、並列し、積層されている複数の筒状中空孔４ａ、４ｂの隔壁７を横断する方向（すなわち、図１中、上下方向）に伝わって、図１中下側の建築構造物表面（不図示）に流れていく。
【００３０】
ここで、並列し、積層されている複数の筒状中空孔４ａ、４ｂの隔壁７は、不織布８によって形成されているものであり、これが、図示されているように連続Ｓ字ループ構造で、並列し、積層されている断面が逆液滴形状の筒状中空孔４ｂ−１、断面液滴形状の筒状中空孔４ａ−１、断面が逆液滴形状の筒状中空孔４ｂ−２、断面液滴形状の筒状中空孔４ａ−２、・・・・になっているので、適切な量の水分をハニカム構造体１の中に蓄えつつ、余分な水分を、図１中下側の建築構造物表面（不図示）に流下させていくことができる。
【００３１】
その一方、植生層２に散布されて、あるいは雨が降るなどして、植生層２から図１中下側に浸透してきた水分の量が多い場合には、図２（ａ）に示しているように、直接、水滴１１、１１として、断面が逆液滴形状の筒状中空孔４ｂ、断面液滴形状の筒状中空孔４ａの頂点から下側に滴下させることによって、適切な排水速度、排水量を確保することができる。
【００３２】
更に、本発明の植生用基層マットによれば、第３図中、矢印６方向への空気の移動を始めとして、不織布製のハニカム構造体として形成されているので、図１、図２中、上下方向への空気の移動もスムーズに行わせることができて、通気性の良好な植生用基層マットを提供することができる。
【００３３】
また、断面が逆液滴形状の筒状中空孔４ｂ、断面液滴形状の筒状中空孔４ａに示されているように、本発明の植生用基層マットは、全体の体積に比較して空間部の占める割合が大きく、比較的多くの空気がここに保持されるので、保温性の優れたものとなる。
【００３４】
以上、本発明の好ましい実施形態を添付図面を参照して説明したが、本発明はかかる実施形態に限定されるものではなく、特許請求の範囲の記載から把握される技術的範囲において種々の形態に変更可能である。
【００３５】
例えば、複数の筒状中空孔が並列し、積層されているハニカム構造体を形成する不織布としては、ポリエステルに限らず、腐食性、耐候性に優れた種々の素材を用いることができる。
【００３６】
また、不織布の厚み、重量、筒状中空孔４ａ、４ｂの大きさ等に関しても、本発明の植生用基層マットが使用される際の条件に応じて種々に変更することができる。
【図面の簡単な説明】
【００３７】
【図１】本発明の植生用基層マットが使用されている一例を説明する正面図。
【図２】本発明の植生用基層マットの一例を説明する一部を省略した正面図。
【図３】（ａ）本発明の植生用基層マットを構成するハニカム構造体が形成される状態を説明する正面図、（ｂ）本発明の植生用基層マットを構成するハニカム構造体の一例を説明する一部を省略した斜視図、（ｃ）本発明の植生用基層マットを構成するハニカム構造体の他の一例を説明する一部を省略した斜視図。
【図４】図２図示の本発明の植生用基層マットの一部を省略した斜視図。
【符号の説明】
【００３８】
１  ハニカム構造体
２  植生層
３  植物
４ａ、４ｂ  筒状中空孔
４ｂ−１、４ｂ−２  断面が逆液滴形状の筒状中空孔
４ａ−１、４ａ−２  断面液滴形状の筒状中空孔
５、５ａ、５ｂ、５ｃ  不織布
７  筒状中空孔の連続している隔壁
８  断面Ｓ字状のループを有する不織布
１１  水滴
【図１】
2006204112.tif 000003
【図２】
2006204112.tif 000004
【図３】
2006204112.tif 000005
【図４】
2006204112.tif 000006